(57)【要約】    本発明に係るネズミ捕り器は、観察開口を有する本体と、観察開口の下方に位置される下動可能な作動部と、前記作動部に対して連動可能に連結されたリテーナと、キャリッジを含む捕捉具と、前記キャリッジを摺動させる、観察開口に隣接して設けられた一対のレールと、前記キャリッジを移動させるために捕捉具に対して連結された付勢部材とを備え、前記キャリッジはリテーナによって設置位置に保持され、作動部が押圧された時、リテーナはキャリッジを解放し、付勢部材がキャリッジをレールに沿って観察開口内に移動させる。
2009500044.tif 000002
【特許請求の範囲】
【請求項１】
観察開口を有する本体と、
前記観察開口の下方に位置される下動可能な作動部と、
前記作動部に対して連動可能に連結されたリテーナと、
キャリッジを含む捕捉具と、
前記キャリッジを摺動させるために観察開口に隣接して設けられた一対のレールと、
前記キャリッジを移動させるために捕捉具に対して連結された付勢部材とを備え、
前記キャリッジはリテーナによって設置位置に保持され、作動部が押圧された時、リテーナはキャリッジを解放し、付勢部材がキャリッジをレールに沿って観察開口内に移動させるネズミ捕り器。
【請求項２】
前記本体は
頂部に連結された基部と、
前記頂部に連結された端部と、
前記基部に連結されたレバーとを有する請求項１に記載のネズミ捕り器。
【請求項３】
前記基部は基板に連結された一対の外側壁と、外側壁にそれぞれ連結する一対の頂部壁とからなる請求項２に記載のネズミ捕り器。
【請求項４】
各外側壁内にはレールが形成されている請求項３に記載のネズミ捕り器。
【請求項５】
前記基部は餌保持部を備える請求項２に記載のネズミ捕り器。
【請求項６】
前記頂部は前記観察開口を備える請求項２に記載のネズミ捕り器。
【請求項７】
前記頂部は頂部プレートに連結された少なくとも1個の内側壁を有するネズミ捕り器。
【請求項８】
前記端部に前記リテーナが設けられている請求項２に記載のネズミ捕り器。
【請求項９】
前記リテーナはリテーナ板である請求項７に記載のネズミ捕り器。
【請求項１０】
少なくとも1個のラッチが前記リテーナに取り付けられている請求項８に記載のネズミ
捕り器。
【請求項１１】
前記リテーナ板には付勢板が連結されている請求項７に記載のネズミ捕り器。
【請求項１２】
前記レバーは前記作動板１２を含む請求項２に記載のネズミ捕り器。
【請求項１３】
一対の爪部が作動板の両側にそれぞれ設けられている請求項２に記載のネズミ捕り器。
【請求項１４】
前記作動部には付勢舌片が設けられている請求項２に記載のネズミ捕り器。
【請求項１５】
前記捕捉具は前記キャリッジに連結されたハンドルを有する請求項１に記載のネズミ捕り器。
【請求項１６】
前記捕捉具には手動タブが設けられている請求項１５に記載のネズミ捕り器。
【請求項１７】
前記付勢手段は弾性帯である請求項１に記載のネズミ捕り器。
【請求項１８】
ファイバーボードから形成された請求項１に記載のネズミ捕り器。
【発明の詳細な説明】
【技術分野】
【０００１】
本発明はネズミ捕り器に関する。より詳細には、本発明は使い捨てが可能なファイバーボード性のネズミ捕り器に関する。従って、以下にはこれらの点について述べるが、本発明に係るネズミ捕り器は、必要ならば再使用されてもよいし、他の材料から形成することも可能である。
【背景技術】
【０００２】
鼠は家財等に損害を与えたり、病気を伝播したりする害獣である。鼠は多産系であり、知恵もある。このため、鼠を制御することは極めて困難である。
鼠を制御するために、最も単純にして、効果的な方法はネズミ捕り器を使用することである。従来から使用されているネズミ捕り器はバネ仕掛けの捕捉具に取り付けられた木製の基部を有する。そして、リテーナが捕捉具上方に設けられ、同捕捉具は餌保持具を上方へ旋回させるように、同餌保持具に連結されている。餌保持具に下方の力が掛かると、リテーナが解放され、捕捉具が鼠を捕獲することが可能になる。
【０００３】
しかし、この型のネズミ捕り器には問題点がある。まず、このネズミ捕り器を設置することは非常に繊細な作業である。このネズミ捕り器は微かな動きにも反応して、目的を達することなくリテーナが解放されるため、ネズミ捕り器の設置には注意が必要である。また、このネズミ捕り器では、鼠はいかなる方向からも餌をとることができる。仮に、鼠がネズミ捕り器に対して前面から接触しない場合には、鼠はネズミ捕り器にて捕捉されることなく、逃げることができる。更には、鼠がネズミ捕り器にて捕捉されて死んだ場合には、鼠の死骸を取り外してネズミ捕り器が再度使用される。しかし、使用者は死んで、腐乱した鼠に触ることとなり、非衛生的である。また、ネズミ捕り器を廃棄するにあたっても、このネズミ捕り器自身に生分解性がないため、環境面において好ましくない。  
【０００４】
このネズミ捕り器における生分化性の欠如を補うべく、特許文献１に開示されるようなファイバーボード製のネズミ捕り器が提案されている。このネズミ捕り器は、鼠が正面からネズミ捕り器内に入ってきた場合には、効果的に作用する。しかし、このネズミ捕り器は直立させることが困難であり、堅牢さにも欠ける。加えて、鼠がネズミ捕り器に対して側方から近接した場合には、鼠を殺傷することができないという、従来品と同様の問題点を有する。
【特許文献１】米国特許第４３６６６４２号明細書
【発明の開示】
【発明が解決しようとする課題】
【０００５】
本発明は上記した問題点を鑑みてなされたものであり、その目的は消費者に有用で商業的価値に優れるネズミ捕り器を提供することにある。
【課題を解決するための手段】
【０００６】
上記した問題点を解決するために、本願発明のネズミ捕り器は観察開口を有する本体と、前記観察開口の下方に位置される下動可能な作動部と、前記作動部に対して連動可能に連結されたリテーナと、キャリッジを含む捕捉具と、前記キャリッジを摺動させる、観察開口に隣接して設けられた一対のレールと、前記キャリッジを移動させるために捕捉具に対して連結された付勢部材とを備え、前記キャリッジはリテーナによって設置位置に保持され、作動部が押圧された時、リテーナはキャリッジを解放し、付勢部材がキャリッジをレールに沿って観察開口内に移動させることをその要旨とする。
【発明を実施するための最良の形態】
【０００７】
図１Ａは第１のネズミ捕り器用ファイバーボード材料１１及び第２のネズミ捕り器用ファイバーボ−ド材料１２を示し、これらは図２Ａ乃至３Ｂに示されるネズミ捕り器１０を形成するために使用される。第１のネズミ捕り器用ファイバーボード材料１１は本体１３を形成するために使用され、基部２０、頂部３０、端部４０及びレバー５０を備える。基部２０はレバー５０及び頂部３０に対して折り曲げ可能に連結され、頂部３０は端部４０に対して折り曲げ可能に連結されている。第２のネズミ捕り器用ファイバーボ−ド材料は捕獲具６０となる。
【０００８】
基部２０は基板２１、一対の側方に突出する支持片２２、一対の外側壁２３、一対の頂部壁２４、餌保持部２５及び挿入開口２６を有する。両支持片２２は基板２１の両側にそれぞれ位置する。両外側壁２３はそれぞれ基板２１の両側に折り曲げ可能に連結されている。両頂部壁２４はそれぞれ両外側壁２３に対して折り曲げ可能に連結されている。餌保持部２５及び挿入開口２６は基板２１の中央部近傍に配置されている。餌保持部２５は基板２１に対して折り曲げ可能に連結されている。
【０００９】
頂部３０は頂部プレート３１、連結板３２、一対の内側壁３３、一対の側壁開口３４、観察用開口３５及び手動取手３６より構成されている。頂部プレート３１は連結板３２に対して折り曲げ可能に連結されている。連結板３２は基板２１に対して折り曲げ可能に連結されている。両内側壁３３はそれぞれ頂部プレート３１の両側に対して折り曲げ可能に連結されている。両側壁開口３４はそれぞれ内側壁３１に形成されている。観察開口３５は頂部プレート３１の中央近傍に形成されている。手動取手３６は頂部プレート３１の一端に位置し、連結版３２内に突出している。
【００１０】
端部４０は延伸板４１、リテーナ板４２、付勢板４３、一対のラッチ４４、延伸開口４５及び捕捉開口４６を備えている。延伸板４１は頂部プレート３１に対して折り曲げ可能に連結されている。リテーナ板４２は延伸板４１に対して折り曲げ可能に連結されている。付勢板４３はリテーナ板４２に対して折り曲げ可能に連結されている。両ラッチ４４はリテーナ板４２に対して折り曲げ可能に連結されている。延伸開口４５は延伸板４１と頂部プレート３１の端部近傍に配置されている。捕捉開口４６は延伸板４１内に配置されている。
【００１１】
レバー５０は作動片５１、作動開口５２、付勢舌片５３及び一対の爪部５４を備える。作動片５１は基板２１に対して折り曲げ可能に連結されている。作動開口５２は作動片51内に形成されている。付勢舌片５３は作動片５１の中央部近傍に設けられ、作動片５１に対して折り曲げ可能に連結されている。両爪部５４はそれぞれ作動片５１の両側に形成されている。
【００１２】
捕捉具６０はハンドル６１、キャリッジ６２、設定タブ６３及び一対の弾性帯状のノッチ６４を有する。ハンドル６１は長尺状をなし、キャリッジ６２に連結されている。設定タブ６３はハンドル６１とキャリッジ６２との連結箇所近傍にいおいて、捕捉具６０に折り曲げ可能に連結されている。両弾性帯状のノッチ６４はそれぞれキャリッジ６２の両端近傍に設けられている。
【００１３】
2枚のファイバーボード材料１１，１２からネズミ捕り器１０を組み立てるには、これ
らファイバーボード材料１１，１２が図１Ａ乃至図１Ｄに示すように折り畳まれる。内方側壁３３及び延伸板４１が頂部プレート３１に対して折り曲げられる。結果として、各側壁開口３４が対応する側壁３３と頂部プレート３１との間に形成される。捕捉具６０は頂部プレート３１の近傍に配置され、キャリッジ６２が両側壁開口３４を通過して延びる。ハンドル６１は延伸開口４５を通過して延びるように配置される。
【００１４】
作動片５１は基板２１に接触するまで折り曲げられる。付勢舌片５３は作動片５１に接触するまで折り曲げられ、作動片５１から後方へ突出する状態に維持される。
両ラッチ４４は、リテーナ板４２から折り曲げられ、対応する内職壁３３の近傍に位置される。付勢板４３はリテーナ板４２から折り曲げられる。
【００１５】
連結板３２は基板２１に対して折り曲げられ、さらに頂部プレート３１は連結板３２に対して折り曲げられる。このため、付勢板４３は付勢舌片５３に接触する。
各頂部壁２４は対応する外側壁２３に対して折り曲げられ、それぞれの外側壁に外側壁開口２７が形成される。各外側壁２３は、対応する内側壁３３に近接する位置に達するまで基板２１に対して折り曲げられる。各外側壁２３が対応する内側壁３３近傍に位置すると、内側壁開口３７及び外側壁開口２７は互いに整合する。従って、キャリッジ６２は外側壁開口２７内も通過して延びる。頂部壁２４には接着剤が塗布されており、頂部壁２４は頂部プレート３１に接触するまで折り曲げられる。この接着剤によりネズミ捕り器が一体的に保持される。
【００１６】
この後、両ノッチ６４に取り付けられた弾性帯７０が、連結板３２の外縁及びキャリッジ６２の外縁に沿って配置される。これにより、図２Ａ乃至図３Ｂに示されるネズミ捕り器が完成する。
【００１７】
使用時において、図４Ａに示すネズミ捕り器１０は、使用者が手動タブ３６及びハンドル６１を持ち、ハンドル６１を引くことによりセットされる。これにより、捕捉具６０は両内側壁開口３７及び両外側壁開口２７内を、これら開口の内縁をレールとして移動する。
捕捉具６０が各開口３７，２７の内縁に沿って移動するとき、図４Ｂに示すように、タブ６３はリテーナ板４２に接触する。これにより、リテーナ板４２は回動を開始し、  各ラッチ４４が対応する爪部５４から離脱する。リテーナ板４２は付勢板４３を付勢舌片５３に対して押し付け、作動片５１を上方へ移動させる。このあと、ラッチ４４は爪部５４に係合し、リテーナ板４２を所定の位置に保持する。捕捉具６０はリテーナ板４２により保持され、図４Ｃに示されるネズミ捕り器１０の設置が完了される。
【００１８】
ネズミ捕り器１０における餌の仕掛けは、餌保持部２５を基板２１から離間する方向へ折曲げて、挿入開口２５を利用して行われる。この後、餌が餌保持部２５に置かれ、餌保持部２５が基板２１に接近するように曲げられる。このようにして餌の仕掛けが終了すると、ネズミ捕り器１０は所望の位置に配置される。一対の支持片２２はネズミ捕り器１０が転倒することを防止する。付勢板４３及び付勢舌片５３は、鼠がネズミ捕り器１０の後方から餌に接近することを防止する。
【００１９】
ネズミ捕り器の作用に付いて説明する。鼠８０はその頭部、上半身及び前足から観察開口３５内に入る。鼠８０は作動開口５２を通して餌を発見し、その臭いを嗅ぐことができる。ネズミ捕り器内において餌は奥に配置され、鼠が足を作動片５１上に載せるようにおびき寄せるように配慮されている。図４Ｄに示すように、鼠の体重に基づく圧力により、作動片５１が基板２１に向かって下方へと移動する。これにより爪部５４が下方へ移動して、ラッチ４４が解放される。すると、リテーナ板４２が解放され、弾性帯７０が捕捉具６０を観察開口３５上に引き落とす。これにより、図４Ｅに示すように、捕捉具７０のキャリッジ６２が鼠８０の上半身に接触し、観察開口３５の上縁との間に鼠８０を捕らえる。このため、鼠８０は上半身、頚部、背部が潰されたり、窒息したりして死亡する。この際に、周囲の環境に与える悪影響は最小限に留まる。この後、ネズミ捕り器は鼠の死骸と共に廃棄される。また、ネズミ捕り器は鼠の死骸に触れることなく、簡単に清掃され、再使用されることも可能である。
【００２０】
本発明に係るネズミ捕り器は安価であり、生分解性があり、更には効果的に使用される。このネズミ捕り器に進入した鼠は、逃げ得る可能性が極めて少なくなるような位置に達するように考案されている。また、ネズミ捕り器を設置するにあたり、不慮の事故で指を傷つけることも少なくなるように配慮されている。
【００２１】
上記したネズミ捕り器はファイバーボードにて形成したが、合成樹脂等、他の材料から形成することも可能である。
また、本発明の趣旨から逸脱することなく、変更は無論可能である。
【図面の簡単な説明】
【００２２】
【図１Ａ】本願に係るネズミ捕り器の作成するための材料を示す斜視図。
【図１Ｂ】図１Ａに示したネズミ捕り器作成用の材料の一部が折り畳まれた状態を示す斜視図。
【図１Ｃ】図１Ａに示したネズミ捕り器作成用の材料の一部が、更に折り畳まれた状態を示す斜視図。
【図１Ｄ】図１Ａに示したネズミ捕り器作成用の材料の一部が、更に一層折り畳まれた状態を示す斜視図。
【図２Ａ】本発明の一実施例における非開放状態にあるネズミ捕り器を上方より示す斜視図。
【図２Ｂ】本発明の一実施例における設置状態にあるネズミ捕り器を上方より示す斜視図。
【図３Ａ】本発明の一実施例における非開放状態にあるネズミ捕り器を下方より示す斜視図。
【図３Ｂ】本発明の一実施例における設置状態にあるネズミ捕り器を下方より示す斜視図。
【図４Ａ】非開放状態にあるネズミ捕り器を示す側断面図。
【図４Ｂ】非開放状態と設置状態との中間位置にあるネズミ捕り器を示す側断面図。
【図４Ｃ】設置状態にあるネズミ捕り器を鼠とともに示す側断面図。
【図４Ｄ】非開放状態と設置状態との中間位置にあるネズミ捕り器を鼠とともに示す側断面図。
【図４Ｅ】鼠を捕獲したネズミ捕り器を示す側断面図。
【図１Ａ】
2009500044.tif 000003
【図１Ｂ】
2009500044.tif 000004
【図１Ｃ】
2009500044.tif 000005
【図１Ｄ】
2009500044.tif 000006
【図２Ａ】
2009500044.tif 000007
【図２Ｂ】
2009500044.tif 000008
【図３Ａ】
2009500044.tif 000009
【図３Ｂ】
2009500044.tif 000010
【図４Ａ】
2009500044.tif 000011
【図４Ｂ】
2009500044.tif 000012
【図４Ｃ】
2009500044.tif 000013
【図４Ｄ】
2009500044.tif 000014
【図４Ｅ】
2009500044.tif 000015
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
観察開口と基部とを有する本体と、
前記観察開口と基部との間に位置される下動可能な作動部と、
前記作動部に対して連動可能に連結されたリテーナと、
キャリッジを含む捕捉具と、
前記キャリッジを摺動させるために観察開口に隣接して設けられた一対のレールと、
前記キャリッジを移動させるために捕捉具に対して連結された付勢部材とを備え、
前記キャリッジはリテーナによって設置位置に保持され、作動部が押圧された時、リテーナはキャリッジを解放し、付勢部材がキャリッジをレールに沿って観察開口内に移動させるネズミ捕り器。
【請求項２】
前記本体は
頂部に連結された基部と、
前記頂部に連結された端部と、
前記基部に連結されたレバーとを有する請求項１に記載のネズミ捕り器。
【請求項３】
前記基部は基板に連結された一対の外側壁と、外側壁にそれぞれ連結する一対の頂部壁とからなる請求項２に記載のネズミ捕り器。
【請求項４】
各外側壁内にはレールが形成されている請求項３に記載のネズミ捕り器。
【請求項５】
前記基部は餌保持部を備える請求項２に記載のネズミ捕り器。
【請求項６】
前記頂部は前記観察開口を備える請求項２に記載のネズミ捕り器。
【請求項７】
前記頂部は頂部プレートに連結された少なくとも1個の内側壁を有するネズミ捕り器。
【請求項８】
前記端部に前記リテーナが設けられている請求項２に記載のネズミ捕り器。
【請求項９】
前記リテーナはリテーナ板である請求項７に記載のネズミ捕り器。
【請求項１０】
少なくとも1個のラッチが前記リテーナに取り付けられている請求項８に記載のネズミ
捕り器。
【請求項１１】
前記リテーナ板には付勢板が連結されている請求項７に記載のネズミ捕り器。
【請求項１２】
前記レバーは前記作動板１２を含む請求項２に記載のネズミ捕り器。
【請求項１３】
一対の爪部が作動板の両側にそれぞれ設けられている請求項２に記載のネズミ捕り器。
【請求項１４】
前記作動部には付勢舌片が設けられている請求項２に記載のネズミ捕り器。
【請求項１５】
前記捕捉具は前記キャリッジに連結されたハンドルを有する請求項１に記載のネズミ捕り器。
【請求項１６】
前記捕捉具には手動タブが設けられている請求項１５に記載のネズミ捕り器。
【請求項１７】
前記付勢手段は弾性帯である請求項１に記載のネズミ捕り器。
【請求項１８】
ファイバーボードから形成された請求項１に記載のネズミ捕り器。
【手続補正２】
【補正対象書類名】明細書
【補正対象項目名】０００６
【補正方法】変更
【補正の内容】
【０００６】
上記した問題点を解決するために、本願発明のネズミ捕り器は観察開口と基部とを有する本体と、前記観察開口と基板との間に位置される下動可能な作動部と、前記作動部に対して連動可能に連結されたリテーナと、キャリッジを含む捕捉具と、前記キャリッジを摺動させる、観察開口に隣接して設けられた一対のレールと、前記キャリッジを移動させるために捕捉具に対して連結された付勢部材とを備え、前記キャリッジはリテーナによって設置位置に保持され、作動部が押圧された時、リテーナはキャリッジを解放し、付勢部材がキャリッジをレールに沿って観察開口内に移動させることをその要旨とする。
【国際調査報告】
2009500044.tif 000016
2009500044.tif 000017